(57)【要約】【課題】複数の光源部に容易に電力供給を行うことができる照明装置を提供する。【解決手段】照明装置１００は、構造物に取り付けられ、電源回路４０を収容する本体部３０と、長尺状の第一光源部１０と、長尺状の第二光源部２０と、本体部３０に取り付けられた連結部材３３であって、第一光源部１０の一方の端部、及び、第二光源部２０の一方の端部を連結し、かつ、第一光源部１０及び第二光源部２０の位置を固定する連結部材３３とを備える。第一光源部１０の一方の端部、及び、第二光源部２０の一方の端部の少なくとも一方には、電源回路４０から給電を受けるための第一負極端子１２ｃが設けられ、連結部材３３は、電源回路４０及び第一負極端子１２ｃに電気的に接続される第二接続端子３３ｂを有する。【選択図】図２
2018037227.tif 000002
【特許請求の範囲】
【請求項１】
構造物に取り付けられ、電源回路を収容する本体部と、
長尺状の第一光源部と、
長尺状の第二光源部と、
前記本体部に取り付けられた連結部材であって、前記第一光源部の一方の端部、及び、前記第二光源部の一方の端部を連結し、かつ、前記第一光源部及び前記第二光源部の位置を固定する連結部材とを備え、
前記第一光源部の一方の端部、及び、前記第二光源部の一方の端部の少なくとも一方には、前記電源回路から給電を受けるための給電用端子が設けられ、
前記連結部材は、前記電源回路及び前記給電用端子に電気的に接続される接続端子を有する
照明装置。
【請求項２】
前記第一光源部の一方の端部には、第一正極端子及び第一負極端子が前記給電用端子として設けられ、
前記第二光源部の一方の端部には、前記第二光源部を前記本体部に取り付けるための取付用端子が設けられ、
前記連結部材は、前記第一正極端子、前記第一負極端子、及び、前記取付用端子を保持することにより、前記第一光源部の一方の端部、及び、前記第二光源部の一方の端部を連結する
請求項１に記載の照明装置。
【請求項３】
前記第二光源部の他方の端部には、第二正極端子及び第二負極端子が前記給電用端子として設けられ、
前記連結部材は、
前記第一正極端子、及び、前記第二負極端子に電気的に接続される第一接続端子を有し、
前記第一負極端子、及び、前記電源回路の負極出力端子に電気的に接続される第二接続端子を前記接続端子として有する
請求項２に記載の照明装置。
【請求項４】
前記第二光源部の他方の端部には、第二正極端子及び第二負極端子が前記給電用端子として設けられ、
前記連結部材は、
前記第一正極端子、及び、前記電源回路の正極出力端子に電気的に接続される第一接続端子を前記接続端子として有し、
前記第一負極端子、及び、前記第二正極端子に電気的に接続される第二接続端子を有する
請求項２に記載の照明装置。
【請求項５】
前記第二光源部の他方の端部には、第二正極端子及び第二負極端子が前記給電用端子として設けられ、
前記連結部材は、前記第一正極端子、前記第二正極端子、及び、前記電源回路の正極出力端子に電気的に接続される第一接続端子と、前記第一負極端子、前記第二負極端子、及び前記電源回路の負極出力端子に電気的に接続される第二接続端子とのそれぞれを、前記接続端子として有する
請求項２に記載の照明装置。
【請求項６】
前記第一光源部の一方の端部には、第一正極端子及び第一負極端子が前記給電用端子として設けられ、
前記第二光源部の一方の端部には、第二正極端子及び第二負極端子が前記給電用端子として設けられ、
前記連結部材は、前記第一正極端子、前記第一負極端子、前記第二正極端子、及び、前記第二負極端子を保持することにより、前記第一光源部の一方の端部、及び、前記第二光源部の一方の端部を連結する
請求項１に記載の照明装置。
【請求項７】
前記連結部材は、
前記第一正極端子、及び、前記電源回路の正極出力端子に電気的に接続される第一接続端子と、前記第二負極端子、及び、前記電源回路の負極出力端子に電気的に接続される第二接続端子とのそれぞれを、前記接続端子として有し、
前記第一負極端子と前記第二正極端子とを電気的に接続する第三接続端子を有する
請求項６に記載の照明装置。
【請求項８】
前記連結部材は、前記第一正極端子、前記第二正極端子、及び、前記電源回路の正極出力端子に電気的に接続される第一接続端子と、前記第一負極端子、前記第二負極端子、及び、前記電源回路の負極出力端子に電気的に接続される第二接続端子とのそれぞれを、前記接続端子として有する
請求項６に記載の照明装置。
【請求項９】
前記第一光源部の一方の端部には、第一正極端子が、前記給電用端子として設けられ、
前記第一光源部の他方の端部には、第一負極端子が設けられ、
前記第二光源部の一方の端部には、第二負極端子が、前記給電用端子として設けられ、
前記第二光源部の他方の端部には、第二正極端子が設けられ、
前記連結部材は、前記第一正極端子及び前記第二負極端子を保持することにより、前記第一光源部の一方の端部、及び、前記第二光源部の一方の端部を連結する
請求項１に記載の照明装置。
【請求項１０】
前記連結部材は、前記第一正極端子、及び、前記電源回路の正極出力端子に電気的に接続される第一接続端子と、前記第一負極端子、及び、前記電源回路の負極出力端子に電気的に接続される第二接続端子とのそれぞれを、前記接続端子として有する
請求項９に記載の照明装置。
【請求項１１】
前記第一光源部の一方の端部には、第一正極端子が、前記給電用端子として設けられ、
前記第一光源部の他方の端部には、第一負極端子が設けられ、
前記第二光源部の一方の端部には、第二正極端子が、前記給電用端子として設けられ、
前記第二光源部の他方の端部には、第二負極端子が設けられ、
前記連結部材は、前記第一正極端子及び前記第二正極端子を保持することにより、前記第一光源部の一方の端部、及び、前記第二光源部の一方の端部を連結する
請求項１に記載の照明装置。
【請求項１２】
前記連結部材は、
前記第一正極端子、及び、前記電源回路の正極出力端子に電気的に接続される第一接続端子を前記接続端子として有し、
前記第二正極端子、及び、前記第一負極端子に電気的に接続される第二接続端子を有する
請求項１１に記載の照明装置。
【請求項１３】
前記連結部材は、
前記第一正極端子、前記第二正極端子、及び、前記電源回路の正極出力端子に電気的に接続される接続端子を前記接続端子として有する
請求項１１に記載の照明装置。
【請求項１４】
前記第一光源部の一方の端部には、第一負極端子が、前記給電用端子として設けられ、
前記第一光源部の他方の端部には、第一正極端子が設けられ、
前記第二光源部の一方の端部には、第二負極端子が、前記給電用端子として設けられ、
前記第二光源部の他方の端部には、第二正極端子が設けられ、
前記連結部材は、前記第一負極端子及び前記第二負極端子を保持することにより、前記第一光源部の一方の端部、及び、前記第二光源部の一方の端部を連結する
請求項１に記載の照明装置。
【請求項１５】
前記連結部材は、
前記第一負極端子、及び、前記電源回路の負極出力端子に電気的に接続される第一接続端子を前記接続端子として有し、
前記第二負極端子、及び、前記第一正極端子に電気的に接続される第二接続端子を有する
請求項１４に記載の照明装置。
【請求項１６】
前記連結部材は、
前記第一負極端子、前記第二負極端子、及び、前記電源回路の負極出力端子に電気的に接続される接続端子を前記接続端子として有する
請求項１４に記載の照明装置。
【発明の詳細な説明】
【技術分野】
【０００１】
本発明は、長尺状の光源部を備える照明装置に関する。
【背景技術】
【０００２】
ＬＥＤ（Ｌｉｇｈｔ  Ｅｍｉｔｔｉｎｇ  Ｄｉｏｄｅ）は、高効率及び長寿命であることから、従来から知られる蛍光灯や白熱電球等の各種ランプにおける新しい光源として期待されており、ＬＥＤを用いたランプの研究開発が進められている。例えば、特許文献１には、直管ＬＥＤランプが開示されている。
【先行技術文献】
【特許文献】
【０００３】
【特許文献１】特開２０１４−１５４４５１号公報
【発明の概要】
【発明が解決しようとする課題】
【０００４】
照明装置が上記直管ＬＥＤランプのような長尺状の光源部を複数備えるような場合、複数の光源部への給電用の回路を簡素化することが課題となる。
【０００５】
本発明は、複数の光源部への給電用の回路を簡素化することができる照明装置を提供する。
【課題を解決するための手段】
【０００６】
本発明の一態様に係る照明装置は、構造物に取り付けられ、電源回路を収容する本体部と、長尺状の第一光源部と、長尺状の第二光源部と、前記本体部に取り付けられた連結部材であって、前記第一光源部の一方の端部、及び、前記第二光源部の一方の端部を連結し、かつ、前記第一光源部及び前記第二光源部の位置を固定する連結部材とを備え、前記第一光源部の一方の端部、及び、前記第二光源部の一方の端部の少なくとも一方には、前記電源回路から給電を受けるための給電用端子が設けられ、前記連結部材は、前記電源回路及び前記給電用端子に電気的に接続される接続端子を有する。
【発明の効果】
【０００７】
本発明の照明装置は、複数の光源部への給電用の回路を簡素化することができる。
【図面の簡単な説明】
【０００８】
【図１】図１は、実施の形態１に係る照明装置の外観斜視図である。
【図２】図２は、実施の形態１に係る照明装置の側面図である。
【図３】図３は、実施の形態１に係る照明用光源の第一光源部に用いられるＬＥＤモジュールの外観斜視図である。
【図４】図４は、実施の形態１の変形例１に係る照明装置の電気的な接続関係を示す側面図である。
【図５】図５は、実施の形態１の変形例２に係る照明装置の電気的な接続関係を示す側面図である。
【図６】図６は、実施の形態２に係る照明装置の電気的な接続関係を示す側面図である。
【図７】図７は、実施の形態２の変形例に係る照明装置の電気的な接続関係を示す側面図である。
【図８】図８は、実施の形態３に係る照明装置の電気的な接続関係を示す側面図である。
【図９】図９は、実施の形態３の変形例に係る照明装置の電気的な接続関係を示す側面図である。
【図１０】図１０は、実施の形態４に係る照明装置の電気的な接続関係を示す側面図である。
【図１１】図１１は、実施の形態４の変形例に係る照明装置の電気的な接続関係を示す側面図である。
【図１２】図１２は、実施の形態５に係る照明装置の電気的な接続関係を示す側面図である。
【図１３】図１３は、実施の形態４の変形例に係る照明装置の電気的な接続関係を示す側面図である。
【図１４】図１４は、第一光源部及び第二光源部が並列配置されるように連結する連結部材を示す図である。
【図１５】図１５は、コネクタを有する長尺状の光源部を備える照明装置の第一の外観斜視図である。
【図１６】図１６は、コネクタを有する長尺状の光源部を備える照明装置の第二の外観斜視図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略または簡略化される場合がある。
【００１１】
以下の実施の形態の図面においては、Ｚ軸方向は、例えば上下方向（鉛直方向）であり、Ｚ軸＋側は、下側または光出射側と記載される場合がある。また、Ｚ軸−側は、上側と記載される場合がある。また、Ｘ軸方向及びＹ軸方向は、Ｚ軸に垂直な平面（水平面）上において、互いに直交する方向である。
【００１２】
（実施の形態１）
［全体構成］
まず、実施の形態１に係る照明装置の構成について、図１及び図２を用いて説明する。図１は、実施の形態１に係る照明装置の外観斜視図である。図２は、実施の形態１に係る照明装置の側面図である。
【００１３】
図１及び図２に示されるように、実施の形態１に係る照明装置１００は、第一光源部１０と、第二光源部２０と、本体部３０と、ソケット３１と、ソケット３２と、連結部材３３と、電源回路４０とを備える。なお、図２では、本体部３０、ソケット３１、ソケット３２、及び、連結部材３３の内部構造（内部に配置される構成要素）については、破線によって模式的に示されている。
【００１４】
照明装置１００においては、第一光源部１０及び第二光源部２０は、第一光源部の一方の端部及び第二光源部の一方の端部によって連結部材３３を挟み、かつ、照明装置１００の長手方向（Ｘ軸方向）に並んで配置される。言い換えれば、第一光源部１０及び第二光源部２０は、第一光源部１０の長手方向（管軸）と第二光源部の長手方向（管軸）とが１つの直線に沿うように、照明装置１００の長手方向に並んで配置される。以下、このような配置を直列配置とも記載する。
【００１５】
まず、第一光源部１０について説明する。第一光源部１０は、照明光として白色光を発する長尺状の光源である。第一光源部１０は、いわゆる直管ＬＥＤランプである。第一光源部１０は、筐体１１と、筐体１１の長手方向の両端部に設けられた第一口金１２及び第二口金１３と、筐体１１内に配置された長尺状のＬＥＤモジュール１４とを有する。
【００１６】
第一光源部１０は、長手方向における一方の端部（第一口金１２）が連結部材３３に取り付けられており、長手方向における他方の端部（第二口金１３）がソケット３１に取り付けられる。
【００１７】
筐体１１は、長尺円筒状であり、内部にＬＥＤモジュール１４を収容する。筐体１１は、ガラス、または、アクリルもしくはポリカーボネート等の樹脂材料によって形成され、透光性を有する。なお、筐体１１は、光拡散性を有してもよい。これにより、ＬＥＤモジュール１４から放射された光を、筐体１１を通過する際に拡散させることができる。
【００１８】
第一口金１２は、筐体１１の長手方向の一方の端部に位置し、当該一方の端部を蓋する。第一口金１２は、ポリブチレンテレフタレート（ＰＢＴ）等の合成樹脂からなる略有底円筒形状の第一口金本体１２ａと、金属材料等からなる第一正極端子１２ｂ、金属材料等からなる第一負極端子１２ｃとを有する。つまり、第一光源部１０の一方の端部には、第一正極端子１２ｂ及び第一負極端子１２ｃが給電用端子として設けられる。
【００１９】
第一正極端子１２ｂ及び第一負極端子１２ｃは、第一口金本体１２ａから外方に向かって突出するように構成されている。第一正極端子１２ｂ及び第一負極端子１２ｃは、日本電球工業会によって規格化されたＪＥＬ８０１に準拠した金属製の端子である。図２では、詳細には図示されていないが、第一正極端子１２ｂ及び第一負極端子１２ｃは、例えば、Ｌ型に形成される。
【００２０】
第二口金１３は、筐体１１の長手方向の他方の端部に位置し、当該他方の端部を蓋する。第二口金１３は、ポリブチレンテレフタレート（ＰＢＴ）等の合成樹脂からなる略有底円筒形状の第二口金本体１３ａと、金属材料等からなる第一取付用端子１３ｂとを有する。つまり、第一光源部１０の他方の端部には、第一取付用端子１３ｂが設けられる。
【００２１】
第一取付用端子１３ｂは、第二口金本体１３ａから外方に向かって突出するように構成されている。第一取付用端子１３ｂは、日本電球工業会によって規格化されたＪＥＬ８０１に準拠した金属製の端子であり、第一光源部１０の本体部３０（ソケット３１、ソケット３２、及び連結部材３３）への取り付けにのみ用いられる専用端子（他の部品と電気的に接続されない端子）であるが、アース端子として使用されてもよい。このように、第一光源部１０には、第一口金１２及び第二口金１３のうち、第一口金１２のみに給電用端子が設けられる片側給電方式が採用されている。
【００２２】
なお、第一光源部１０は、第一口金１２及び第二口金１３にＧ１３口金が採用された、片側給電方式の光源部であってもよい。後述の第二光源部２０についても同様である。この場合、ソケット３１、ソケット３２、及び、連結部材３３もＧ１３口金に対応した構造となる。
【００２３】
ＬＥＤモジュール１４は、筐体１１に収納されている。図３は、ＬＥＤモジュール１４の外観斜視図である。
【００２４】
図３に示されるように、ＬＥＤモジュール１４は、ＬＥＤチップが基板上に直接実装されたＣＯＢ（Ｃｈｉｐ  Ｏｎ  Ｂｏａｒｄ）型の発光モジュールである。ＬＥＤモジュール１４は、筐体１１内に１つだけ配置されていてもよいし、複数配置されていてもよい。ＬＥＤモジュール１４が複数配置される場合、隣り合うＬＥＤモジュール１４は、コネクタ線等によって電気的に接続される。ＬＥＤモジュール１４は、基板１４ａと、複数のＬＥＤ１４ｂと、ＬＥＤ１４ｂを封止する封止部材１４ｃと、ＬＥＤモジュール外部からＬＥＤ１４ｂを発光させるための電力を受ける電極端子１４ｄとを備える。
【００２５】
基板１４ａは、ＬＥＤ１４ｂが実装される長尺矩形状の基板である。基板１４ａは、例えば、セラミックス基板、ガラス基板、メタルベース基板、又は、樹脂基板等である。なお、詳細には図示されないが、基板１４ａには、ＬＥＤ１４ｂ同士を電気的に接続するとともにＬＥＤ１４ｂに電力を供給するための金属配線が設けられている。
【００２６】
ＬＥＤ１４ｂは、発光素子の一例であって、基板１４ａ上に実装される。図３に示されるように、基板１４ａには、複数のＬＥＤ１４ｂが基板１４ａの長手方向に沿って一列に配置されている。各ＬＥＤ１４ｂは、単色の可視光を発するベアチップであり、ダイアタッチ材（ダイボンド材）によって基板１４ａ上にダイボンディングされている。ＬＥＤ１４ｂとしては、例えば、通電されると青色光を発光する青色ＬＥＤチップが用いられる。複数のＬＥＤ１４ｂは、金属配線又は金ワイヤ等によって、直列接続、並列接続、又は直列接続と並列接続との組み合わせにより、電気的に接続される。
【００２７】
封止部材１４ｃは、光波長変換材として蛍光体粒子を含む蛍光体含有樹脂であって、ＬＥＤ１４ｂからの光を所定の波長に波長変換（色変換）するとともに、ＬＥＤ１４ｂを樹脂封止してＬＥＤ１４ｂを保護する。封止部材１４ｃは、基板１４ａ上の全てのＬＥＤ１４ｂを一括封止するようにＬＥＤ１４ｂの配列方向に沿って直線状に形成されている。
【００２８】
封止部材１４ｃとしては、例えば、ＬＥＤ１４ｂが青色ＬＥＤチップである場合、ＹＡＧ（イットリウム・アルミニウム・ガーネット）系の黄色蛍光体粒子を含有するシリコーン樹脂が用いられる。これにより、黄色蛍光体粒子は青色ＬＥＤチップの青色光によって励起されて黄色光を放出するので、封止部材１４ｃからは、励起された黄色光と青色ＬＥＤチップの青色光とによって白色光が放出される。なお、封止部材１４ｃには、シリカ等の光拡散材が含まれてもよい。
【００２９】
電極端子１４ｄは、ＬＥＤ１４ｂを発光させるための直流電力を受電する端子である。電極端子１４ｄは、基板１４ａにパターン形成された金属配線と電気的に接続されている。電極端子１４ｄは、例えば、コネクタ線が装着されるソケット型の端子であってもよいし、又は、所定形状の金属膜からなる端子であってもよい。電極端子１４ｄの正極側は、リード線などによって第一正極端子１２ｂに電気的に接続され、電極端子１４ｄの負極側は、リード線などによって第一負極端子１２ｃに電気的に接続される。
【００３０】
次に、第二光源部２０について説明する。第二光源部２０は、照明光として白色光を発する長尺状の光源である。第二光源部２０は、いわゆる直管ＬＥＤランプである。第二光源部２０は、筐体２１と、筐体２１の長手方向の両端部に設けられた第一口金２２及び第二口金２３と、筐体２１内に配置された長尺状のＬＥＤモジュール２４とを有する。
【００３１】
第一光源部１０は、長手方向における一方の端部（第一口金２２）が連結部材３３に取り付けられており、長手方向における他方の端部（第二口金２３）がソケット３１に取り付けられる。
【００３２】
第二光源部２０は、第一光源部１０とほぼ同様の構成であるが、以下の点が異なる。第一口金２２は、第一口金本体２２ａと、第二取付用端子２２ｂとからなる。つまり、第二光源部２０の第一口金２２には、給電用端子ではなく、第二取付用端子２２ｂが設けられる。言い換えれば、第二光源部の一方の端部には、第二光源部２０を本体部３０に取り付けるための取付用端子が設けられる。
【００３３】
第二口金２３は、第二口金本体２３ａと、第二正極端子２３ｂと、第二負極端子２３ｃとを有する。つまり、第二光源部２０の第二口金２３には、取付用端子ではなく、第二正極端子２３ｂ及び第二負極端子２３ｃが設けられる。言い換えれば、第二光源部２０の他方の端部には、第二正極端子２３ｂ及び第二負極端子２３ｃが給電用端子として設けられる。
【００３４】
次に、本体部３０、ソケット３１、ソケット３２、連結部材３３、及び、電源回路４０について説明する。
【００３５】
本体部３０は、構造物に取り付けられるベース部材である。構造物は、例えば、天井または壁等である。本体部３０は、例えば、天井にネジなどの固定部材によって取り付けられる。また、本体部３０は、電源回路４０を収容する筐体としても機能する。本体部３０は、例えば、ダイカスト製のアルミニウムによって形成されるが、その他の金属、または、樹脂によって形成されてもよい。
【００３６】
本体部３０の下面には、ソケット３１、連結部材３３、ソケット３２が取り付けられている。ソケット３１、連結部材３３、及び、ソケット３２は、本体部３０の長手方向（Ｘ軸方向）に沿って、この順に等間隔で配置されている。ソケット３１、連結部材３３、ソケット３２は、ネジなどの固定部材によって本体部３０の下面に固定されている。ソケット３１と連結部材３３との間には、第一光源部１０が配置される。連結部材３３とソケット３２との間には、第二光源部２０が配置される。
【００３７】
ソケット３１は、第一光源部１０の第二口金１３を保持する。ソケット３１には、第二口金１３の第一取付用端子１３ｂを係止する係止穴が設けられている。ソケット３１は、例えば、主として樹脂によって形成されるが、金属によって形成されてもよい。
【００３８】
ソケット３２は、第二光源部２０の第二口金２３を保持する。ソケット３２には、第二口金２３の第二正極端子２３ｂを係止する係止穴が設けられている。この係止穴に係止した第二正極端子２３ｂは、ソケット３２の内部に設けられた金属製の端子３２ａと接触する。この結果、第二正極端子２３ｂと端子３２ａとは電気的に接続される。
【００３９】
また、ソケット３２には、第二口金２３の第二負極端子２３ｃを係止する係止穴が設けられている。この係止穴に係止した第二負極端子２３ｃは、ソケット３２の内部に設けられた金属製の端子３２ｂと接触する。この結果、第二負極端子２３ｃと端子３２ｂとは電気的に接続される。ソケット３２は、例えば、主として樹脂によって形成されるが、金属によって形成されてもよい。
【００４０】
連結部材３３は、本体部３０に取り付けられ、第一光源部１０の一方の端部、及び、第二光源部２０の一方の端部を連結し、かつ、第一光源部１０及び第二光源部２０の位置を固定する。
【００４１】
連結部材３３は、具体的には、第一光源部１０の一方の端部に位置する第一口金１２と、第二光源部２０の一方の端部に位置する第一口金２２とを連結する。連結部材３３は、さらに具体的には、第一口金１２が有する第一正極端子１２ｂ及び第一負極端子１２ｃ、と、第一口金２２が有する第二取付用端子２２ｂとを保持することにより、第一光源部１０の一方の端部、及び、第二光源部２０の一方の端部を連結する。
【００４２】
連結部材３３の第一光源部１０と対向する面には、第一口金１２の第一正極端子１２ｂを係止する係止穴が設けられ、この係止穴に係止した第一正極端子１２ｂは、連結部材３３の内部に設けられた第一接続端子３３ａに接触する。この結果、第一正極端子１２ｂは、第一接続端子３３ａに電気的に接続される。
【００４３】
また、連結部材３３の第一光源部１０と対向する面には、第一口金１２の第一負極端子１２ｃを係止する係止穴が設けられている。この係止穴に係止した第一負極端子１２ｃは、連結部材３３の内部に設けられた第二接続端子３３ｂに接触する。この結果、第一負極端子１２ｃは、第二接続端子３３ｂに電気的に接続される。
【００４４】
また、連結部材３３の第二光源部２０と対向する面には、第一口金２２の第二取付用端子２２ｂを係止する係止穴が設けられている。連結部材３３の内部には、第二取付用端子２２ｂに電気的に接続される端子は設けられないが、第二取付用端子２２ｂがアース端子として使用される場合には、端子が設けられてもよい。
【００４５】
以上説明したような連結部材３３は、例えば、主として樹脂によって形成されるが、金属によって形成されてもよい。
【００４６】
電源回路４０は、第一光源部１０及び第二光源部２０を発光させるための給電を行う回路である。電源回路４０は、具体的には、照明装置１００の外部（例えば、電力系統）から供給される交流電力を直流電力に変換して、第一光源部１０及び第二光源部２０に供給する。電源回路４０は、具体的には、整流回路及びインバータ回路などを含む。
【００４７】
なお、第一光源部１０及び第二光源部２０が、交流電力を直流電力に変換する回路を内蔵している場合、電源回路４０が交流電力を出力する回路であってもよい。また、第一光源部１０及び第二光源部２０に内蔵される、交流電力を直流電力に変換する上記回路が電力系統（商用電源）から出力される交流電力の直接入力に対応しているのであれば、電源回路４０は省略されてもよい。
【００４８】
［電気的な接続関係］
次に、上記図２を用いて、照明装置１００における電気的な接続関係について説明する。照明装置１００においては、第一光源部１０及び第二光源部２０の少なくとも一方が、連結部材３３に挿入される給電用端子を有する。図２の例では、第一光源部１０及び第二光源部２０のうち、第一光源部１０のみ、当該第一光源部１０の一方の端部に、第一正極端子１２ｂ及び第一負極端子１２ｃを連結部材３３に挿入される給電用端子として有する。
【００４９】
連結部材３３は、電源回路４０、及び、給電用端子のそれぞれに電気的に接続される接続端子を有する。このような接続端子によれば、連結部材３３は、第一光源部１０及び第二光源部２０を機械的に接続するだけでなく、第一光源部１０及び第二光源部２０を１つの電源回路４０からの給電により発光させることができる。
【００５０】
上記接続端子は、具体的には、第一負極端子１２ｃ、及び、電源回路４０の負極出力端子４０ｂに電気的に接続される第二接続端子３３ｂである。
【００５１】
第二接続端子３３ｂは、第一負極端子１２ｃと直接接触することにより、第一負極端子１２ｃと電気的に接続される。また、第二接続端子３３ｂは、本体部３０の内部を通るリード線によって電源回路４０の負極出力端子４０ｂに電気的に接続される。
【００５２】
また、連結部材３３は、第一正極端子１２ｂ、及び、第二負極端子２３ｃに電気的に接続される第一接続端子３３ａを有する。
【００５３】
第一接続端子３３ａは、第一正極端子１２ｂと直接接触することにより、第一正極端子１２ｂに電気的に接続される。また、第一接続端子３３ａは、本体部３０の内部を通るリード線によってソケット３２内の端子３２ｂに電気的に接続される。端子３２ｂには第二負極端子２３ｃが直接接触しているため、第一接続端子３３ａは、第二負極端子２３ｃに電気的に接続される。
【００５４】
また、ソケット３２内の端子３２ａは、本体部３０の内部を通るリード線によって電源回路４０の正極出力端子４０ａに電気的に接続される。端子３２ａには第二正極端子２３ｂが直接接触しているため、第二正極端子２３ｂは、正極出力端子４０ａに電気的に接続される。
【００５５】
このように照明装置１００においては、１つの電源回路４０に対して、第一光源部１０及び第二光源部２０が直列接続される。照明装置１００は、第一光源部１０及び第二光源部２０を１つの電源回路４０からの給電により発光させることができる。
【００５６】
［実施の形態１の効果等］
以上説明したように、照明装置１００は、構造物に取り付けられ、電源回路４０を収容する本体部３０と、長尺状の第一光源部１０と、長尺状の第二光源部２０と、本体部３０に取り付けられた連結部材３３とを備える。連結部材３３は、第一光源部１０の一方の端部、及び、第二光源部２０の一方の端部を連結し、かつ、第一光源部１０及び第二光源部２０の位置を固定する。第一光源部１０の一方の端部、及び、第二光源部２０の一方の端部の少なくとも一方には、電源回路４０から給電を受けるための給電用端子が設けられ、連結部材３３は、電源回路４０及び給電用端子に電気的に接続される接続端子を有する。
【００５７】
このような接続端子によれば、連結部材３３は、第一光源部１０及び第二光源部２０を機械的に接続するだけでなく、第一光源部１０及び第二光源部２０への給電用の回路を簡素化することができる。例えば、第一光源部１０及び第二光源部２０を１つの電源回路４０からの給電により発光させることができる。そうすると、第一光源部１０及び第二光源部２０のそれぞれに電源回路が必要な回路構成よりも、回路構成を簡素化することができる。
【００５８】
また、第一光源部１０の一方の端部には、第一正極端子１２ｂ及び第一負極端子１２ｃが上記給電用端子として設けられ、第二光源部２０の一方の端部には、第二光源部２０を本体部３０に取り付けるための第二取付用端子２２ｂが設けられてもよい。連結部材３３は、第一正極端子１２ｂ、第一負極端子１２ｃ、及び、第二取付用端子２２ｂを保持することにより、第一光源部１０の一方の端部、及び、第二光源部２０の一方の端部を連結してもよい。
【００５９】
これにより、連結部材３３は、給電用端子（第一正極端子１２ｂ、及び、第一負極端子１２ｃ）と、取付用端子（第二取付用端子２２ｂ）とを保持することにより、第一光源部１０の一方の端部、及び、第二光源部２０の一方の端部を連結することができる。
【００６０】
また、第二光源部２０の他方の端部には、第二正極端子２３ｂ及び第二負極端子２３ｃが上記給電用端子として設けられてもよい。連結部材３３は、第一正極端子１２ｂ、及び、第二負極端子２３ｃに電気的に接続される第一接続端子３３ａを有し、第一負極端子１２ｃ、及び、電源回路４０の負極出力端子４０ｂに電気的に接続される第二接続端子３３ｂを接続端子として有してもよい。
【００６１】
これにより、第二正極端子２３ｂが電源回路４０の正極出力端子４０ａに電気的に接続されれば、照明装置１００は、１つの電源回路４０に対して、第一光源部１０及び第二光源部２０を直列接続することができる。したがって、第一光源部１０及び第二光源部２０への給電用の回路を簡素化することができる。
【００６２】
［実施の形態１の変形例１］
なお、上記照明装置１００における電気的な接続関係は、一例である。以下、照明装置１００とは異なる電気的な接続関係を有する、変形例１に係る照明装置について説明する。図４は、変形例１に係る照明装置の電気的な接続関係を示す側面図（模式図）である。
【００６３】
図４に示される照明装置１００ａは、本体部３０の内部の電気的な接続関係のみが照明装置１００と異なるため、この部分を中心に説明が行われる。
【００６４】
照明装置１００ａにおいては、電源回路４０と、第一光源部１０の一方の端部及び第二光源部２０の一方の端部の少なくとも一方に設けられた給電用端子とに電気的に接続される接続端子は、第一接続端子３３ａである。
【００６５】
第一接続端子３３ａは、第一正極端子１２ｂ、及び、電源回路４０の正極出力端子４０ａに電気的に接続される。このように、照明装置１００ａが有する連結部材３３は、第一正極端子１２ｂ、及び、電源回路４０の正極出力端子４０ａに電気的に接続される第一接続端子３３ａを上記接続端子として有する。
【００６６】
第一接続端子３３ａは、第一正極端子１２ｂと直接接触することにより、第一正極端子１２ｂと電気的に接続される。また、第一接続端子３３ａは、本体部３０の内部を通るリード線によって電源回路４０の正極出力端子４０ａに電気的に接続される。
【００６７】
また、照明装置１００ａが有する連結部材３３は、第一負極端子１２ｃ、及び、第二正極端子２３ｂに電気的に接続される第二接続端子３３ｂを有する。
【００６８】
第二接続端子３３ｂは、第一負極端子１２ｃと直接接触することにより、第一負極端子１２ｃに電気的に接続される。また、第二接続端子３３ｂは、本体部３０の内部を通るリード線によってソケット３２内の端子３２ａに電気的に接続される。端子３２ａには第二正極端子２３ｂが直接接触しているため、第二接続端子３３ｂは、第二正極端子２３ｂに電気的に接続される。
【００６９】
また、ソケット３２内の端子３２ｂは、本体部３０の内部を通るリード線によって電源回路４０の負極出力端子４０ｂに電気的に接続される。端子３２ｂには第二負極端子２３ｃが直接接触しているため、第二負極端子２３ｃは、負極出力端子４０ｂに電気的に接続される。
【００７０】
［実施の形態１の変形例１の効果等］
以上説明したように、照明装置１００ａにおいては、第二光源部２０の他方の端部には、第二正極端子２３ｂ及び第二負極端子２３ｃが給電用端子として設けられる。連結部材３３は、第一正極端子１２ｂ、及び、電源回路４０の正極出力端子４０ａに電気的に接続される第一接続端子３３ａを接続端子として有し、第一負極端子１２ｃ、及び、第二正極端子２３ｂに電気的に接続される第二接続端子３３ｂを有する。
【００７１】
これにより、第二負極端子２３ｃが負極出力端子４０ｂに電気的に接続されれば、１つの電源回路４０に対して、第一光源部１０及び第二光源部２０が直列接続される。そうすると、照明装置１００ａは、第一光源部１０及び第二光源部２０を１つの電源回路４０からの給電により発光させることができる。したがって、第一光源部１０及び第二光源部２０への給電用の回路を簡素化することができる。
【００７２】
［実施の形態１の変形例２］
第一光源部１０及び第二光源部２０は、並列接続されてもよい。以下、第一光源部１０及び第二光源部２０が並列接続される、変形例２に係る照明装置について説明する。図５は、変形例２に係る照明装置の電気的な接続関係を示す側面図（模式図）である。
【００７３】
図５に示される照明装置１００ｂは、本体部３０の内部の電気的な接続関係のみが照明装置１００と異なるため、この部分を中心に説明が行われる。
【００７４】
照明装置１００ｂにおいては、電源回路４０と、第一光源部１０の一方の端部及び第二光源部２０の一方の端部の少なくとも一方に設けられた給電用端子とに電気的に接続される接続端子は、第一接続端子３３ａ及び第二接続端子３３ｂのそれぞれである。
【００７５】
第一接続端子３３ａは、第一正極端子１２ｂ、第二正極端子２３ｂ、及び、電源回路４０の正極出力端子４０ａに電気的に接続される。
【００７６】
第一接続端子３３ａは、第一正極端子１２ｂと直接接触することにより、第一正極端子１２ｂに電気的に接続される。また、第一接続端子３３ａは、本体部３０の内部を通るリード線によって、電源回路４０の正極出力端子４０ａに電気的に接続される。第一接続端子３３ａは、本体部３０の内部を通るリード線によって、ソケット３２内の端子３２ａに電気的に接続される。端子３２ａには第二正極端子２３ｂが直接接触しているため、第一接続端子３３ａは、第二正極端子２３ｂに電気的に接続される。
【００７７】
また、第二接続端子３３ｂは、第一負極端子１２ｃ、第二負極端子２３ｃ、及び、電源回路４０の負極出力端子４０ｂに電気的に接続される。
【００７８】
第二接続端子３３ｂは、第一負極端子１２ｃと直接接触することにより、第一負極端子１２ｃに電気的に接続される。また、第二接続端子３３ｂは、本体部３０の内部を通るリード線によって、電源回路４０の負極出力端子４０ｂに電気的に接続される。第二接続端子３３ｂは、本体部３０の内部を通るリード線によって、ソケット３２内の端子３２ｂに電気的に接続される。端子３２ｂには第二負極端子２３ｃが直接接触しているため、第二接続端子３３ｂは、第二負極端子２３ｃに電気的に接続される。
【００７９】
［実施の形態１の変形例２の効果等］
以上説明したように、照明装置１００ｂにおいては、第二光源部２０の他方の端部には、第二正極端子２３ｂ及び第二負極端子２３ｃが給電用端子として設けられる。連結部材３３は、第一正極端子１２ｂ、第二正極端子２３ｂ、及び、電源回路４０の正極出力端子４０ａに電気的に接続される第一接続端子３３ａと、第一負極端子１２ｃ、第二負極端子２３ｃ、及び電源回路４０の負極出力端子４０ｂに電気的に接続される第二接続端子３３ｂとのそれぞれを、接続端子として有する。
【００８０】
これにより、１つの電源回路４０に対して、第一光源部１０及び第二光源部２０が並列接続される。照明装置１００ｂは、第一光源部１０及び第二光源部２０を１つの電源回路４０からの給電により発光させることができる。したがって、第一光源部１０及び第二光源部２０への給電用の回路を簡素化することができる。
【００８１】
（実施の形態２）
［実施の形態１との構造の違い］
以下、実施の形態２に係る照明装置について説明する。図６は、実施の形態２に係る照明装置の電気的な接続関係を示す側面図（模式図）である。
【００８２】
図６に示されるように、実施の形態２に係る照明装置１００ｃにおいては、第二光源部２０の口金の配置が、照明装置１００と逆である。具体的には、第二光源部２０の一方の端部（連結部材３３に近い端部）には、第二口金２３が配置され、第二光源部２０の他方の端部（ソケット３２に近い端部）には、第一口金２２が配置される。つまり、第二光源部２０の一方の端部には、第二正極端子２３ｂ及び第二負極端子２３ｃが給電用端子として設けられる。
【００８３】
これに対応して、照明装置１００ｃでは、連結部材３３の構造、及びソケット３２の構造も異なる。まず、連結部材３３の構造について説明する。
【００８４】
連結部材３３は、具体的には、第一光源部１０の一方の端部に位置する第一口金１２と、第二光源部２０の一方の端部に位置する第二口金２３とを連結する。連結部材３３は、さらに具体的には、第一口金１２が有する第一正極端子１２ｂ及び第一負極端子１２ｃと、第二口金２３が有する第二正極端子２３ｂ及び第二負極端子２３ｃとを保持することにより、第一光源部１０の一方の端部、及び、第二光源部２０の一方の端部を連結する。
【００８５】
連結部材３３の第一光源部１０と対向する面には、第一口金１２の第一正極端子１２ｂを係止する係止穴が設けられ、この係止穴に係止した第一正極端子１２ｂは、連結部材３３の内部に設けられた第一接続端子３３ｃに接触する。この結果、第一正極端子１２ｂは、第一接続端子３３ｃに電気的に接続される。
【００８６】
また、連結部材３３の第一光源部１０と対向する面には、第一口金１２の第一負極端子１２ｃを係止する係止穴が設けられている。この係止穴に係止した第一負極端子１２ｃは、連結部材３３の内部に設けられた第三接続端子３３ｅに接触する。この結果、第一負極端子１２ｃは、第三接続端子３３ｅに電気的に接続される。
【００８７】
連結部材３３の第二光源部２０と対向する面には、第二口金２３の第二負極端子２３ｃを係止する係止穴が設けられ、この係止穴に係止した第二負極端子２３ｃは、連結部材３３の内部に設けられた第二接続端子３３ｄに接触する。この結果、第二負極端子２３ｃは、第二接続端子３３ｄに電気的に接続される。
【００８８】
また、連結部材３３の第二光源部２０と対向する面には、第二口金２３の第二正極端子２３ｂを係止する係止穴が設けられている。この係止穴に係止した第二正極端子２３ｂは、連結部材３３の内部に設けられた第三接続端子３３ｅに接触する。この結果、第二正極端子２３ｂは、第三接続端子３３ｅに電気的に接続される。
【００８９】
次に、ソケット３２の構造の違いについて説明する。ソケット３２には、第一口金２２の第二取付用端子２２ｂを係止する係止穴が設けられている。ソケット３２の内部には、第二取付用端子２２ｂに電気的に接続される端子は設けられないが、第二取付用端子２２ｂがアース端子として使用される場合には、端子が設けられてもよい。
【００９０】
［電気的な接続関係］
次に、上記図６を用いて、照明装置１００ｃにおける電気的な接続関係について説明する。照明装置１００ｃにおいては、連結部材３３は、電源回路４０と、第一光源部１０の一方の端部及び第二光源部２０の一方の端部の少なくとも一方に設けられた給電用端子とに電気的に接続される接続端子を有する。上記接続端子は、具体的には、第一接続端子３３ｃ及び第二接続端子３３ｄである。
【００９１】
第一接続端子３３ｃは、第一正極端子１２ｂ、及び、電源回路４０の正極出力端子４０ａに電気的に接続される。第一接続端子３３ｃは、第一正極端子１２ｂと直接接触することにより、第一正極端子１２ｂと電気的に接続される。また、第一接続端子３３ｃは、本体部３０の内部を通るリード線によって電源回路４０の正極出力端子４０ａに電気的に接続される。
【００９２】
また、第二接続端子３３ｄは、第二負極端子２３ｃ、及び、電源回路４０の負極出力端子４０ｂに電気的に接続される。第二接続端子３３ｄは、第二負極端子２３ｃと直接接触することにより、第二負極端子２３ｃと電気的に接続される。また、第二接続端子３３ｄは、本体部３０の内部を通るリード線によって電源回路４０の負極出力端子４０ｂに電気的に接続される。
【００９３】
また、連結部材３３は、第一負極端子１２ｃと第二正極端子２３ｂとに電気的に接続すされる第三接続端子３３ｅを有する。第三接続端子３３ｅは、第一負極端子１２ｃ及び第二正極端子２３ｂの両方に直接接触する。
【００９４】
［実施の形態２の効果等］
以上説明したように、照明装置１００ｃにおいては、第一光源部１０の一方の端部には、第一正極端子１２ｂ及び第一負極端子１２ｃが給電用端子として設けられ、第二光源部２０の一方の端部には、第二正極端子２３ｂ及び第二負極端子２３ｃが給電用端子として設けられる。連結部材３３は、第一正極端子１２ｂ、第一負極端子１２ｃ、第二正極端子２３ｂ、及び、第二負極端子２３ｃを保持することにより、第一光源部１０の一方の端部、及び、第二光源部２０の一方の端部を連結する。
【００９５】
これにより、連結部材３３は、給電用端子（第一正極端子１２ｂ、第一負極端子１２ｃ、第二正極端子２３ｂ、及び、第二負極端子２３ｃ）を保持することにより、第一光源部１０の一方の端部、及び、第二光源部２０の一方の端部を連結することができる。
【００９６】
また、照明装置１００ｃが備える連結部材３３は、第一正極端子１２ｂ、及び、電源回路４０の正極出力端子４０ａに電気的に接続される第一接続端子３３ｃと、第二負極端子２３ｃ、及び、電源回路４０の負極出力端子４０ｂに電気的に接続される第二接続端子３３ｄとのそれぞれを、接続端子として有する。連結部材３３は、第一負極端子１２ｃと第二正極端子２３ｂとを電気的に接続する第三接続端子３３ｅを有する。
【００９７】
これにより、１つの電源回路４０に対して、第一光源部１０及び第二光源部２０が直列接続される。そうすると、照明装置１００ｃは、第一光源部１０及び第二光源部２０を１つの電源回路４０からの給電により発光させることができる。したがって、第一光源部１０及び第二光源部２０への給電用の回路を簡素化することができる。
【００９８】
［実施の形態２の変形例］
実施の形態２においても、第一光源部１０及び第二光源部２０は、並列接続されてもよい。以下、第一光源部１０及び第二光源部２０が並列接続される、実施の形態２の変形例に係る照明装置について説明する。図７は、実施の形態２の変形例に係る照明装置の電気的な接続関係を示す側面図（模式図）である。
【００９９】
図７に示される照明装置１００ｄは、連結部材３３の内部に配置される端子、及び、本体部３０の内部の電気的な接続関係が照明装置１００ｃと異なるため、この部分を中心に説明が行われる。
【０１００】
照明装置１００ｄにおいては、電源回路４０と、第一光源部１０の一方の端部及び第二光源部２０の一方の端部の少なくとも一方が有する給電用端子とに電気的に接続される接続端子は、第一接続端子３３ｆ及び第二接続端子３３ｇである。
【０１０１】
第一接続端子３３ｆは、第一正極端子１２ｂ、第二正極端子２３ｂ、及び、電源回路４０の正極出力端子４０ａに電気的に接続される。
【０１０２】
第一接続端子３３ｆは、第一正極端子１２ｂと直接接触することにより、第一正極端子１２ｂと電気的に接続される。第一接続端子３３ｆは、第二正極端子２３ｂと直接接触することにより、第二正極端子２３ｂと電気的に接続される。また、第一接続端子３３ｆは、本体部３０の内部を通るリード線によって電源回路４０の正極出力端子４０ａに電気的に接続される。
【０１０３】
また、第二接続端子３３ｇは、第一負極端子１２ｃ、第二負極端子２３ｃ、及び、電源回路４０の負極出力端子４０ｂに電気的に接続される。
【０１０４】
第二接続端子３３ｇは、第一負極端子１２ｃと直接接触することにより、第一負極端子１２ｃと電気的に接続される。第二接続端子３３ｇは、第二負極端子２３ｃと直接接触することにより、第二負極端子２３ｃと電気的に接続される。また、第二接続端子３３ｇは、本体部３０の内部を通るリード線によって電源回路４０の負極出力端子４０ｂに電気的に接続される。
【０１０５】
［実施の形態２の変形例の効果等］
以上説明したように、照明装置１００ｄにおいては、連結部材３３は、第一正極端子１２ｂ、第二正極端子２３ｂ、及び、電源回路４０の正極出力端子４０ａに電気的に接続される第一接続端子３３ｆと、第一負極端子１２ｃ、第二負極端子２３ｃ、及び、電源回路４０の負極出力端子４０ｂに電気的に接続される第二接続端子３３ｇとのそれぞれを、接続端子として有する。
【０１０６】
これにより、１つの電源回路４０に対して、第一光源部１０及び第二光源部２０が並列接続される。そうすると、照明装置１００ｄは、第一光源部１０及び第二光源部２０を１つの電源回路４０からの給電により発光させることができる。したがって、第一光源部１０及び第二光源部２０への給電用の回路を簡素化することができる。
【０１０７】
（実施の形態３）
［実施の形態１及び２との構造の違い］
上記実施の形態１及び２では、第一光源部１０及び第二光源部２０には、片側給電方式が採用されていたが、第一光源部１０及び第二光源部２０には、両側給電方式が採用されてもよい。実施の形態３では、両側給電方式が採用された第一光源部及び第二光源部を備える、実施の形態３に係る照明装置について説明する。図８は、実施の形態３に係る照明装置の電気的な接続関係を示す側面図である。
【０１０８】
図８に示されるように、実施の形態３に係る照明装置１００ｅにおいては、第一光源部１０ａの一方の端部（連結部材３３に近い端部）には、第一口金本体１２ａ及び一対の第一正極端子１２ｄ（以下、単に第一正極端子１２ｄと記載される）を有する第一口金１２が設けられる。第一光源部１０ａの他方の端部（ソケット３１に近い端部）には、第二口金本体１３ａ及び一対の第一負極端子１３ｄ（以下、単に第一負極端子１３ｄと記載される）を有する第二口金１３が設けられる。
【０１０９】
同様に、第二光源部２０ａの一方の端部（連結部材３３に近い端部）には、第二口金本体２３ａ及び一対の第二負極端子２３ｄ（以下、単に第二負極端子２３ｄと記載される）を有する第二口金２３が設けられる。第二光源部２０ａの他方の端部（ソケット３２に近い端部）には、第一口金本体２２ａ及び一対の第二正極端子２２ｄ（以下、単に第二正極端子２２ｄと記載される）を有する第一口金２２が設けられる。
【０１１０】
以上説明した第一口金１２、第二口金１３、第一口金２２、及び、第二口金２３は、例えば、Ｇ１３口金である。
【０１１１】
また、照明装置１００ｅでは、連結部材３３の構造、ソケット３１の構造、及び、ソケット３２の構造も異なる。まず、連結部材３３の構造について説明する。
【０１１２】
連結部材３３は、具体的には、第一光源部１０ａの一方の端部に位置する第一口金１２と、第二光源部２０の一方の端部に位置する第二口金２３とを連結する。連結部材３３は、さらに具体的には、第一口金１２が有する第一正極端子１２ｄ、及び、第二口金２３が有する第二負極端子２３ｄを保持することにより、第一光源部１０の一方の端部、及び、第二光源部２０の一方の端部を連結する。
【０１１３】
連結部材３３の第一光源部１０と対向する面には、第一口金１２の第一正極端子１２ｄを係止する係止穴が設けられ、この係止穴に係止した第一正極端子１２ｄは、連結部材３３の内部に設けられた第一接続端子３３ｈに接触する。この結果、第一正極端子１２ｄは、第一接続端子３３ｈに電気的に接続される。
【０１１４】
また、連結部材３３の第二光源部２０と対向する面には、第二口金２３の第二負極端子２３ｄを係止する係止穴が設けられ、この係止穴に係止した第二負極端子２３ｄは、連結部材３３の内部に設けられた第二接続端子３３ｉに接触する。この結果、第二負極端子２３ｄは、第二接続端子３３ｉに電気的に接続される。
【０１１５】
次に、ソケット３１及びソケット３２の構造について説明する。ソケット３１には、第二口金１３の第一負極端子１３ｄを係止する係止穴が設けられている。ソケット３１の内部には、第一負極端子１３ｄに電気的に接続される端子３１ｃが設けられる。
【０１１６】
ソケット３２には、第一口金２２の第二正極端子２２ｄを係止する係止穴が設けられている。ソケット３２の内部には、第二正極端子２２ｄに電気的に接続される端子３２ｃが設けられる。
【０１１７】
［電気的な接続関係］
次に、上記図８を用いて、照明装置１００ｅにおける電気的な接続関係について説明する。照明装置１００ｅにおいては、連結部材３３は、電源回路４０、及び、第一正極端子１２ｄ（第一光源部１０ａが有する給電用端子）に電気的に接続される接続端子として、第一接続端子３３ｈを有する。また、連結部材３３は、電源回路４０、及び、第二負極端子２３ｄ（第二光源部２０ａが有する給電用端子）に電気的に接続される接続端子として、第二接続端子３３ｉを有する。
【０１１８】
これにより、連結部材３３は、第一光源部１０ａ及び第二光源部２０ａを機械的に接続するだけでなく、第一光源部１０ａ及び第二光源部２０ａを１つの電源回路４０からの給電により発光させることができる。
【０１１９】
第一接続端子３３ｈは、第一正極端子１２ｄと直接接触することにより、第一正極端子１２ｄに電気的に接続される。また、第一接続端子３３ｈは、本体部３０の内部を通るリード線によって電源回路４０の正極出力端子４０ａに電気的に接続される。
【０１２０】
第二接続端子３３ｉは、第二負極端子２３ｄと直接接触することにより、第二負極端子２３ｄと電気的に接続される。また、第二接続端子３３ｉは、本体部３０の内部を通るリード線によって電源回路４０の負極出力端子４０ｂに電気的に接続される。
【０１２１】
また、ソケット３１内の端子３１ｃは、本体部３０の内部を通るリード線によってソケット３２内の端子３２ｃに電気的に接続される。端子３１ｃには第一負極端子１３ｄが直接接触しており、端子３２ｃには第二正極端子２２ｄが直接接触している。このため、第一負極端子１３ｄと第二正極端子２２ｄとは電気的に接続される。
【０１２２】
このように照明装置１００ｅにおいては、１つの電源回路４０に対して、第一光源部１０ａ及び第二光源部２０ａが直列接続される。照明装置１００ｅは、第一光源部１０ａ及び第二光源部２０ａを１つの電源回路４０からの給電により発光させることができる。
【０１２３】
［実施の形態３の変形例］
なお、上記照明装置１００ｅにおける電気的な接続関係は、一例である。例えば、第一光源部１０ａ及び第二光源部２０ａは、並列接続されてもよい。以下、照明装置１００ｅとは異なる電気的な接続関係を有する、実施の形態３の変形例に係る照明装置について説明する。図９は、実施の形態３の変形例に係る照明装置の電気的な接続関係を示す側面図（模式図）である。
【０１２４】
図９に示される照明装置１００ｆは、本体部３０の内部の電気的な接続関係のみが照明装置１００ｅと異なるため、この部分を中心に説明が行われる。
【０１２５】
照明装置１００ｆにおいては、第一接続端子３３ｈは、第一正極端子１２ｄと直接接触することにより、第一正極端子１２ｄに電気的に接続される。また、第一接続端子３３ｈは、本体部３０の内部を通るリード線によって、電源回路４０の正極出力端子４０ａ、及び、ソケット３２内の３２ｃに電気的に接続される。端子３２ｃには、第二正極端子２２ｄが直接接触している。このため、第一正極端子１２ｄ、正極出力端子４０ａ、及び、第二正極端子２２ｄの３つの端子が電気的に接続されている。
【０１２６】
第二接続端子３３ｉは、第二負極端子２３ｄと直接接触することにより、第二負極端子２３ｄと電気的に接続される。また、第二接続端子３３ｉは、本体部３０の内部を通るリード線によって電源回路４０の負極出力端子４０ｂ、及び、ソケット３１内の端子３１ｃに電気的に接続される。端子３１ｃには、第一負極端子１３ｄが直接接触している。このため、第一負極端子１３ｄ、負極出力端子４０ｂ、及び、第二負極端子２３ｄの３つの端子が電気的に接続される。
【０１２７】
このように照明装置１００ｆにおいては、１つの電源回路４０に対して、第一光源部１０ａ及び第二光源部２０ａが並列接続される。照明装置１００ｆは、第一光源部１０ａ及び第二光源部２０ａを１つの電源回路４０からの給電により発光させることができる。
【０１２８】
［実施の形態３の効果等］
以上説明したように、照明装置１００ｅ及び照明装置１００ｆにおいて、第一光源部１０ａの一方の端部には、第一正極端子１２ｄが、給電用端子として設けられ、第一光源部１０ａの他方の端部には、第一負極端子１３ｄが設けられ、第二光源部２０ａの一方の端部には、第二負極端子２３ｄが、給電用端子として設けられ、第二光源部２０ａの他方の端部には、第二正極端子２２ｄが設けられる。連結部材３３は、第一正極端子１２ｄ及び第二負極端子２３ｄを保持することにより、第一光源部１０ａの一方の端部、及び、第二光源部２０ａの一方の端部を連結する。
【０１２９】
これにより、連結部材３３は、給電用端子（第一正極端子１２ｄ、及び、第二負極端子２３ｄ）を保持することにより、第一光源部１０ａの一方の端部、及び、第二光源部２０ａの一方の端部を連結することができる。
【０１３０】
また、照明装置１００ｅ及び照明装置１００ｆにおいて、連結部材３３は、第一正極端子１２ｄ、及び、電源回路４０の正極出力端子４０ａに電気的に接続される第一接続端子３３ｈと、第一負極端子１３ｄ、及び、電源回路４０の負極出力端子４０ｂに電気的に接続される第二接続端子３３ｉとのそれぞれを、接続端子として有する。
【０１３１】
これにより、第一接続端子３３ｈが正極出力端子４０ａに電気的に接続され、第二接続端子３３ｉが負極出力端子４０ｂに電気的に接続され、第一負極端子１３ｄ及び第二正極端子２２ｄが電気的に接続されれば、１つの電源回路４０に対して第一光源部１０ａ及び第二光源部２０ａを直列接続することができる。したがって、第一光源部１０ａ及び第二光源部２０ａへの給電用の回路を簡素化することができる。
【０１３２】
また、第一接続端子３３ｈが正極出力端子４０ａ及び第二正極端子２２ｄに電気的に接続され、第二接続端子３３ｉが負極出力端子４０ｂ及び第一負極端子１３ｄに電気的に接続されれば、１つの電源回路４０に対して第一光源部１０ａ及び第二光源部２０ａを並列接続することができる。したがって、第一光源部１０ａ及び第二光源部２０ａへの給電用の回路を簡素化することができる。
【０１３３】
（実施の形態４）
［実施の形態３との構造の違い］
以下、実施の形態４に係る照明装置について説明する。図１０は、実施の形態４に係る照明装置の電気的な接続関係を示す側面図（模式図）である。
【０１３４】
図１０に示されるように、実施の形態４に係る照明装置１００ｇにおいては、第二光源部２０ａの口金の配置が、照明装置１００ｅ及び照明装置１００ｆと逆である。具体的には、第二光源部２０ａの一方の端部（連結部材３３に近い端部）には、第一口金２２が配置され、第二光源部２０ａの他方の端部（ソケット３２に近い端部）には、第二口金２３が配置される。つまり、第一光源部１０ａの一方の端部には、第一正極端子１２ｄが給電用端子として設けられ、第二光源部２０ａの一方の端部には、第二正極端子２２ｄが給電用端子として設けられる。
【０１３５】
照明装置１００ｇにおいて、連結部材３３は、電源回路４０、及び、第一正極端子１２ｄ（第一光源部１０ａが有する給電用端子）に電気的に接続される接続端子を有する。これにより、連結部材３３は、第一光源部１０ａ及び第二光源部２０ａを機械的に接続するだけでなく、第一光源部１０ａ及び第二光源部２０ａを１つの電源回路４０からの給電により発光させることができる。上記接続端子は、具体的には、第一接続端子３３ｈである。なお、連結部材３３は、第二接続端子３３ｉも有する。
【０１３６】
第一接続端子３３ｈは、第一正極端子１２ｄと直接接触することにより、第一正極端子１２ｄに電気的に接続される。また、第一接続端子３３ｈは、本体部３０の内部を通るリード線によって電源回路４０の正極出力端子４０ａに電気的に接続される。
【０１３７】
一方、第二接続端子３３ｉは、第二正極端子２２ｄと直接接触することにより、第二正極端子２２ｄと電気的に接続される。また、第二接続端子３３ｉは、本体部３０の内部を通るリード線によってソケット３１内の端子３１ｃに電気的に接続される。端子３１ｃには、第一負極端子１３ｄが直接接触しているため、第二接続端子３３ｉと第一負極端子１３ｄとは電気的に接続される。
【０１３８】
また、ソケット３２内の端子３２ｃは、本体部３０の内部を通るリード線によって電源回路４０の負極出力端子４０ｂに電気的に接続される。端子３２ｃには、第二負極端子２３ｄが直接接触しているため、第二負極端子２３ｄと負極出力端子４０ｂとは電気的に接続される。
【０１３９】
このように照明装置１００ｇにおいては、１つの電源回路４０に対して、第一光源部１０ａ及び第二光源部２０ａが直列接続される。照明装置１００ｇは、第一光源部１０ａ及び第二光源部２０ａを１つの電源回路４０からの給電により発光させることができる。
【０１４０】
［実施の形態４の変形例］
なお、上記照明装置１００ｇにおける電気的な接続関係は、一例である。例えば、第一光源部１０ａ及び第二光源部２０ａは、並列接続されてもよい。以下、照明装置１００ｇとは異なる電気的な接続関係を有する、実施の形態４の変形例に係る照明装置について説明する。図１１は、実施の形態４の変形例に係る照明装置の電気的な接続関係を示す側面図（模式図）である。
【０１４１】
図１１に示される照明装置１００ｈは、本体部３０の内部の電気的な接続関係のみが照明装置１００ｇと異なるため、この部分を中心に説明が行われる。
【０１４２】
連結部材３３は、第一接続端子３３ｈ及び第二接続端子３３ｉに代えて、接続端子３３ｊを有する。接続端子３３ｊは、第一正極端子１２ｄと直接接触することにより、第一正極端子１２ｄに電気的に接続される。また、接続端子３３ｊは、第二正極端子２２ｄと直接接触することにより、第二正極端子２２ｄと電気的に接続される。接続端子３３ｊは、本体部３０の内部を通るリード線によって、電源回路４０の正極出力端子４０ａに電気的に接続される。このため、第一正極端子１２ｄ、第二正極端子２２ｄ、及び、正極出力端子４０ａの３つの端子が電気的に接続される。
【０１４３】
ソケット３１内の端子３１ｃ、及び、ソケット３２内の端子３２ｃそれぞれは、本体部３０の内部を通るリード線によって、電源回路の負極出力端子４０ｂに電気的に接続される。端子３１ｃには、第一負極端子１３ｄが直接接触し、端子３２ｃには第二負極端子２３ｄが直接接触している。このため、第一負極端子１３ｄ、第二負極端子２３ｄ、及び、負極出力端子４０ｂの３つの端子が電気的に接続される。
【０１４４】
このように照明装置１００ｈにおいては、１つの電源回路４０に対して、第一光源部１０ａ及び第二光源部２０ａが並列接続される。照明装置１００ｈは、第一光源部１０ａ及び第二光源部２０ａを１つの電源回路４０からの給電により発光させることができる。
【０１４５】
［実施の形態４の効果等］
以上説明したように、照明装置１００ｇ及び照明装置１００ｈにおいて、第一光源部１０ａの一方の端部には、第一正極端子１２ｄが、給電用端子として設けられ、第一光源部１０ａの他方の端部には、第一負極端子１３ｄが設けられる。第二光源部２０ａの一方の端部には、第二正極端子２２ｄが、給電用端子として設けられ、第二光源部２０ａの他方の端部には、第二負極端子２３ｄが設けられる。連結部材３３は、第一正極端子１２ｄ及び第二正極端子２２ｄを保持することにより、第一光源部１０ａの一方の端部、及び、第二光源部２０ａの一方の端部を連結する。
【０１４６】
これにより、連結部材３３は、給電用端子（第一正極端子１２ｄ、及び、第二正極端子２２ｄ）を保持することにより、第一光源部１０ａの一方の端部、及び、第二光源部２０ａの一方の端部を連結することができる。
【０１４７】
また、照明装置１００ｇにおいて、連結部材３３は、第一正極端子１２ｄ、及び、電源回路４０の正極出力端子４０ａに電気的に接続される第一接続端子３３ｈを接続端子として有する。連結部材３３は、第二正極端子２２ｄ、及び、第一負極端子１３ｄに電気的に接続される第二接続端子３３ｉを有する。
【０１４８】
これにより、第二負極端子２３ｄと負極出力端子４０ｂとが電気的に接続されれば、照明装置１００ｇは、１つの電源回路４０に対して第一光源部１０ａ及び第二光源部２０ａを直列接続することができる。したがって、第一光源部１０ａ及び第二光源部２０ａへの給電用の回路を簡素化することができる。
【０１４９】
また、照明装置１００ｈにおいて、連結部材３３は、第一正極端子１２ｄ、第二正極端子２２ｄ、及び、電源回路４０の正極出力端子４０ａに電気的に接続される接続端子３３ｊを接続端子として有する。
【０１５０】
これにより、第一負極端子１３ｄ、第二負極端子２３ｄ、及び、負極出力端子４０ｂが電気的に接続されれば、照明装置１００ｈは、１つの電源回路４０に対して第一光源部１０ａ及び第二光源部２０ａを並列接続することができる。したがって、第一光源部１０ａ及び第二光源部２０ａへの給電用の回路を簡素化することができる。
【０１５１】
（実施の形態５）
［実施の形態３との構造の違い］
以下、実施の形態５に係る照明装置について説明する。図１２は、実施の形態５に係る照明装置の電気的な接続関係を示す側面図（模式図）である。
【０１５２】
図１２に示されるように、実施の形態５に係る照明装置１００ｉにおいては、第一光源部１０ａの口金の配置が、照明装置１００ｅ及び照明装置１００ｆと逆である。具体的には、第一光源部１０ａの一方の端部（連結部材３３に近い端部）には、第二口金１３が配置され、第一光源部１０ａの他方の端部（ソケット３２に近い端部）には、第一口金１２が配置される。つまり、第一光源部１０ａの一方の端部には、第一負極端子１３ｄが給電用端子として設けられ、第二光源部２０ａの一方の端部には、第二負極端子２３ｄが給電用端子として設けられる。
【０１５３】
照明装置１００ｉにおいて、連結部材３３は、電源回路４０、及び、第一負極端子１３ｄ（第一光源部１０ａが有する給電用端子）に電気的に接続される接続端子を有する。これにより、連結部材３３は、第一光源部１０ａ及び第二光源部２０ａを機械的に接続するだけでなく、第一光源部１０ａ及び第二光源部２０ａを１つの電源回路４０からの給電により発光させることができる。上記接続端子は、具体的には、第一接続端子３３ｈである。なお、連結部材３３は、第二接続端子３３ｉも有する。
【０１５４】
第一接続端子３３ｈは、第一負極端子１３ｄと直接接触することにより、第一負極端子１３ｄに電気的に接続される。また、第一接続端子３３ｈは、本体部３０の内部を通るリード線によって電源回路４０の負極出力端子４０ｂに電気的に接続される。
【０１５５】
一方、第二接続端子３３ｉは、第二負極端子２３ｄと直接接触することにより、第二負極端子２３ｄと電気的に接続される。また、第二接続端子３３ｉは、本体部３０の内部を通るリード線によってソケット３１内の端子３１ｃに電気的に接続される。端子３１ｃには、第一正極端子１２ｄが直接接触しているため、第二負極端子２３ｄと第一正極端子１２ｄとは電気的に接続される。
【０１５６】
また、ソケット３２内の端子３２ｃは、本体部３０の内部を通るリード線によって電源回路４０の正極出力端子４０ａに電気的に接続される。端子３２ｃには、第二正極端子２２ｄが直接接触しているため、第二正極端子２２ｄと正極出力端子４０ａとは電気的に接続される。
【０１５７】
このように照明装置１００ｉにおいては、１つの電源回路４０に対して、第一光源部１０ａ及び第二光源部２０ａが直列接続される。照明装置１００ｉは、第一光源部１０ａ及び第二光源部２０ａを１つの電源回路４０からの給電により発光させることができる。
【０１５８】
［実施の形態５の変形例］
なお、上記照明装置１００ｉにおける電気的な接続関係は、一例である。例えば、第一光源部１０ａ及び第二光源部２０ａは、並列接続されてもよい。以下、照明装置１００ｉとは異なる電気的な接続関係を有する、実施の形態５の変形例に係る照明装置について説明する。図１３は、実施の形態５の変形例に係る照明装置の電気的な接続関係を示す側面図（模式図）である。
【０１５９】
図１３に示される照明装置１００ｊは、本体部３０の内部の電気的な接続関係のみが照明装置１００ｉと異なるため、この部分を中心に説明が行われる。
【０１６０】
連結部材３３は、第一接続端子３３ｈ及び第二接続端子３３ｉに代えて、接続端子３３ｊを有する。接続端子３３ｊは、第一負極端子１３ｄと直接接触することにより、第一負極端子１３ｄに電気的に接続される。また、接続端子３３ｊは、第二負極端子２３ｄと直接接触することにより、第二負極端子２３ｄと電気的に接続される。接続端子３３ｊは、本体部３０の内部を通るリード線によって、電源回路４０の負極出力端子４０ｂに電気的に接続される。このため、第一負極端子１３ｄ、第二負極端子２３ｄ、及び、負極出力端子４０ｂの３つの端子が電気的に接続される。
【０１６１】
ソケット３１内の端子３１ｃ、及び、ソケット３２内の端子３２ｃそれぞれは、本体部３０の内部を通るリード線によって、電源回路の正極出力端子４０ａに電気的に接続される。端子３１ｃには、第一正極端子１２ｄが直接接触し、端子３２ｃには第二正極端子２２ｄが直接接触している。このため、第一正極端子１２ｄ、第二正極端子２２ｄ、及び、正極出力端子４０ａの３つの端子が電気的に接続される。
【０１６２】
このように照明装置１００ｊにおいては、１つの電源回路４０に対して、第一光源部１０ａ及び第二光源部２０ａが並列接続される。照明装置１００ｊは、第一光源部１０ａ及び第二光源部２０ａを１つの電源回路４０からの給電により発光させることができる。
【０１６３】
［実施の形態５の効果等］
以上説明したように、照明装置１００ｉ及び１００ｊにおいて、第一光源部１０ａの一方の端部には、第一負極端子１３ｄが、給電用端子として設けられ、第一光源部１０ａの他方の端部には、第一正極端子１２ｄが設けられる。第二光源部２０ａの一方の端部には、第二負極端子２３ｄが、給電用端子として設けられ、第二光源部２０ａの他方の端部には、第二正極端子２２ｄが設けられる。連結部材３３は、第一負極端子１３ｄ及び第二負極端子２３ｄを保持することにより、第一光源部１０ａの一方の端部、及び、第二光源部２０ａの一方の端部を連結する。
【０１６４】
これにより、連結部材３３は、給電用端子（第一負極端子１３ｄ、及び、第二負極端子２３ｄ）を保持することにより、第一光源部１０ａの一方の端部、及び、第二光源部２０ａの一方の端部を連結することができる。
【０１６５】
また、照明装置１００ｉにおいて、連結部材３３は、第一負極端子１３ｄ、及び、電源回路４０の負極出力端子４０ｂに電気的に接続される第一接続端子３３ｈを接続端子として有する。連結部材３３は、第二負極端子２３ｄ、及び、第一正極端子１２ｄに電気的に接続される第二接続端子３３ｉを有する。
【０１６６】
これにより、第二正極端子２２ｄと正極出力端子４０ａとが電気的に接続されれば、照明装置１００ｉは、１つの電源回路４０に対して第一光源部１０ａ及び第二光源部２０ａを直列接続することができる。したがって、第一光源部１０ａ及び第二光源部２０ａへの給電用の回路を簡素化することができる。
【０１６７】
また、照明装置１００ｊにおいて、連結部材３３は、第一負極端子１３ｄ、第二負極端子２３ｄ、及び、電源回路４０の負極出力端子４０ｂに電気的に接続される接続端子３３ｊを上記接続端子として有する。
【０１６８】
これにより、第一正極端子１２ｄ、第二正極端子２２ｄ、及び、正極出力端子４０ａが電気的に接続されれば、照明装置１００ｊは、１つの電源回路４０に対して第一光源部１０ａ及び第二光源部２０ａを並列接続することができる。したがって、第一光源部１０ａ及び第二光源部２０ａへの給電用の回路を簡素化することができる。
【０１６９】
（その他の実施の形態）
以上、実施の形態に係る照明装置について説明したが、本発明は、このような実施の形態に限定されるものではない。
【０１７０】
例えば、上記実施の形態では、連結部材は、第一光源部及び第二光源部が直列配置されるように、第一光源部及び第二光源部を連結したが、連結部材は、第一光源部及び第二光源部が並列配置されるように第一光源部及び第二光源部を連結してもよい。例えば、図１４に示されるように、連結部材３３ｋは、第一光源部１０が第二光源部２０に沿うように（並列配置されるように）第一光源部１０及び第二光源部２０を連結してもよい。図１４は、第一光源部１０及び第二光源部２０が並列配置されるように連結する連結部材３３ｋを示す図である。なお、連結部材３３ｋの内部の電気的な接続には、上記実施の形態で説明されたいずれの電気的な接続方法が用いられてもよい。
【０１７１】
また、第一光源部及び第二光源部は、直管ＬＥＤランプに限定されず、その他の長尺状の光源部であってもよい。照明装置は、例えば、口金ではなくコネクタを有する長尺状の光源部であってもよい。図１５及び図１６は、コネクタを有する長尺状の光源部を備える照明装置の外観斜視図である。なお、図１６は、第一光源部１１０及び第二光源部１２０が連結部材１３３から外された状態を示している。
【０１７２】
図１５及び図１６に示される照明装置１００ｋは、本体部１３０と、長尺状の第一光源部１１０と、長尺状の第二光源部１２０と、連結部材１３３とを備える。連結部材１３３は、本体部１３０に取り付けられ、第一光源部１１０の一方の端部、及び、第二光源部１２０の一方の端部を連結し、かつ、第一光源部１１０及び第二光源部１２０の位置を固定する。
【０１７３】
第一光源部１１０の一方の端部、及び、第二光源部１２０の一方の端部の両方には、電源回路から給電を受けるための給電用端子を含むコネクタ（コネクタ１１２またはコネクタ１２２）が設けられる。連結部材１３３は、本体部１３０内の電源回路（図示せず）及び給電用端子（コネクタ１１２またはコネクタ１２２）に電気的に接続される接続端子（コネクタ）を内部に有する。本発明は、このような照明装置１００ｋとして実現されてもよい。なお、連結部材１３３の内部の電気的な接続には、上記実施の形態で説明されたいずれの電気的な接続方法が用いられてもよい。
【０１７４】
また、上記実施の形態においては、第一光源部及び第二光源部には、ＣＯＢ型の発光モジュールが用いられたが、ＳＭＤ型の発光モジュールが用いられてもよい。また、第一光源部及び第二光源部には、ＬＥＤを用いた発光モジュールに代えて、蛍光管、メタルハライドランプ、ナトリウムランプ、ハロゲンランプ、キセノンランプ、または、ネオン管等が用いられてもよい。また、発光部には、無機エレクトロルミネッセンス、有機エレクトロルミネッセンス、ケミルミネッセンス（化学発光）、または、半導体レーザ等が用いられてもよい。
【０１７５】
また、上記実施の形態で説明された口金（端子）の形状は、一例である。照明装置には、どのような形状及び大きさの口金（端子）が用いられてもよい。
【０１７６】
また、上記実施の形態で説明された回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、又は容量素子等の素子を接続したものも本発明に含まれる。言い換えれば、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【０１７７】
以上、一つまたは複数の態様に係る照明装置について、実施の形態及に基づいて説明したが、本発明は、上記実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１７８】
１０、１０ａ、１１０  第一光源部
１２ｂ、１２ｄ  第一正極端子（給電用端子）
１２ｃ、１３ｄ  第一負極端子（給電用端子）
１３ｂ  第一取付用端子（取付用端子）
２０、２０ａ、１２０  第二光源部
２２ｂ  第二取付用端子（取付用端子）
２２ｄ、２３ｂ  第二正極端子（給電用端子）
２３ｃ、２３ｄ  第二負極端子（給電用端子）
３０、１３０  本体部
３３、３３ｋ、１３３  連結部材
３３ａ、３３ｃ、３３ｆ、３３ｈ  第一接続端子（接続端子）
３３ｂ、３３ｄ、３３ｇ、３３ｉ  第二接続端子（接続端子）
３３ｊ  接続端子
４０  電源回路
４０ａ  正極出力端子
４０ｂ  負極出力端子
１００、１００ａ〜１００ｋ  照明装置
【図１】
2018037227.tif 000003
【図２】
2018037227.tif 000004
【図３】
2018037227.tif 000005
【図４】
2018037227.tif 000006
【図５】
2018037227.tif 000007
【図６】
2018037227.tif 000008
【図７】
2018037227.tif 000009
【図８】
2018037227.tif 000010
【図９】
2018037227.tif 000011
【図１０】
2018037227.tif 000012
【図１１】
2018037227.tif 000013
【図１２】
2018037227.tif 000014
【図１３】
2018037227.tif 000015
【図１４】
2018037227.tif 000016
【図１５】
2018037227.tif 000017
【図１６】
2018037227.tif 000018